【手続補正書】
【提出日】平成20年11月26日(2008.11.26)
【手続補正１】
【補正対象書類名】特許請求の範囲
【補正対象項目名】全文
【補正方法】変更
【補正の内容】
【特許請求の範囲】
【請求項１】
ターゲット・サーバのプロセッサに、
第１のレプリカ・ボリュームのフラッシュコピーを作成し、第１のストレージ・ボリュームの複製である前記第１のレプリカ・ボリュームがソース・ストレージ・システムからターゲット・ストレージ・システムによって受信されたことに応答して、前記第１のレプリカ・ボリュームの前記フラッシュコピーの回復を実行するステップと、
前記第１のレプリカ・ボリュームの前記回復したフラッシュコピーのデータをエクスポートして、前記第１のレプリカ・ボリュームの前記回復したフラッシュコピーをクライアントに利用可能とするステップと、
を実行させるための、プログラム。
【請求項２】
前記第１のストレージ・ボリュームが、ストレージ論理ユニット内に記憶された初期ソース・データを含み、
前記第１のレプリカ・ボリュームが、レプリカ論理ユニット内に記憶された初期レプリカ・データを含む、請求項１に記載のプログラム。
【請求項３】
前記第１のストレージ・ボリュームが前記ソース・ストレージ・システムから前記ターゲット・ストレージ・システムによって受信された後に、第２のレプリカ・ボリュームのフラッシュコピーを作成し、第２のストレージ・ボリュームの複製である前記第２のレプリカ・ボリュームが前記ソース・ストレージ・システムから前記ターゲット・ストレージ・システムによって受信されたことに応答して、前記第２のレプリカ・ボリュームの前記フラッシュコピーの回復を実行するステップと、
前記第２のレプリカ・ボリュームの前記回復したフラッシュコピーのデータをエクスポートし、これによって、前記第２のレプリカ・ボリュームの前記回復したフラッシュコピーを前記クライアントに利用可能とするステップと、
を更に実行させる、請求項１に記載のプログラム。
【請求項４】
前記第１のレプリカ・ボリュームの前記回復したフラッシュコピーを消去して、前記第２のレプリカ・ボリュームの前記回復したフラッシュコピーのデータの管理を容易にするステップを更に実行させる、請求項３に記載のプログラム。
【請求項５】
前記第２のストレージ・ボリュームが、ストレージ論理ユニット内に記憶された更新済みソース・データを含み、
前記第２のレプリカ・ボリュームが、レプリカ論理ユニット内に記憶された更新済みレプリカ・データを含む、請求項３に記載のプログラム。
【請求項６】
ターゲット・サーバであって、
プロセッサと、
前記プロセッサと共に動作可能な命令を記憶するメモリであって、前記命令が、
第１のレプリカ・ボリュームのフラッシュコピーを作成し、第１のストレージ・ボリュームの複製である前記第１のレプリカ・ボリュームがソース・ストレージ・システムからターゲット・ストレージ・システムによって受信されたことに応答して、前記第１のレプリカ・ボリュームの前記フラッシュコピーの回復を実行し、
前記第１のレプリカ・ボリュームの前記回復したフラッシュコピーのデータをエクスポートして、前記第１のレプリカ・ボリュームの前記回復したフラッシュコピーをクライアントに利用可能とする、
ために実行される、メモリと、
を含む、ターゲット・サーバ。
【請求項７】
ターゲット・サーバであって、
第１のレプリカ・ボリュームのフラッシュコピーを作成し、第１のストレージ・ボリュームの複製である前記第１のレプリカ・ボリュームがソース・ストレージ・システムからターゲット・ストレージ・システムによって受信されたことに応答して、前記第１のレプリカ・ボリュームの前記フラッシュコピーの回復を実行するための手段と、
前記第１のレプリカ・ボリュームの前記回復したフラッシュコピーのデータをエクスポートし、これによって、前記第１のレプリカ・ボリュームの前記回復したフラッシュコピーをクライアントに利用可能とするための手段と、
を含む、ターゲット・サーバ。
【請求項８】
前記第１のストレージ・ボリュームが、ストレージ論理ユニット内に記憶された初期ソース・データを含み、
前記第１のレプリカ・ボリュームが、レプリカ論理ユニット内に記憶された初期レプリカ・データを含む、請求項７に記載のターゲット・サーバ。
【請求項９】
前記第１のストレージ・ボリュームが前記ソース・ストレージ・システムから前記ターゲット・ストレージ・システムによって受信された後に、第２のレプリカ・ボリュームのフラッシュコピーを作成し、第２のストレージ・ボリュームの複製である前記第２のレプリカ・ボリュームが前記ソース・ストレージ・システムから前記ターゲット・ストレージ・システムによって受信されたことに応答して、前記第２のレプリカ・ボリュームの前記フラッシュコピーの回復を実行するための手段と、
前記第２のレプリカ・ボリュームの前記回復したフラッシュコピーのデータをエクスポートして、前記第２のレプリカ・ボリュームの前記回復したフラッシュコピーを前記クライアントに利用可能とするための手段と、
を更に含む、請求項７に記載のターゲット・サーバ。
【請求項１０】
前記第１のレプリカ・ボリュームの前記回復したフラッシュコピーを消去して、前記第２のレプリカ・ボリュームの前記回復したフラッシュコピーのデータの管理を容易にするための手段を更に含む、請求項９に記載のターゲット・サーバ。
【請求項１１】
前記第２のストレージ・ボリュームが、ストレージ論理ユニット内に記憶された更新済みソース・データを含み、
前記第２のレプリカ・ボリュームが、レプリカ論理ユニット内に記憶された更新済みレプリカ・データを含む、請求項９に記載のターゲット・サーバ。
【請求項１２】
第１のレプリカ・ボリュームのフラッシュコピーを作成し、第１のストレージ・ボリュームの複製である前記第１のレプリカ・ボリュームがソース・ストレージ・システムからターゲット・ストレージ・システムによって受信されたことに応答して、前記第１のレプリカ・ボリュームの前記フラッシュコピーの回復を実行するステップと、
前記第１のレプリカ・ボリュームの前記回復したフラッシュコピーのデータをエクスポートし、これによって、前記第１のレプリカ・ボリュームの前記回復したフラッシュコピーをクライアントに利用可能とするステップと、
を含む、方法。
【請求項１３】
ターゲット・サーバのプロセッサに、
第１のストレージ・ボリュームの複製である第１のレプリカ・ボリュームがソース・ストレージ・システムからターゲット・ストレージ・システムによって受信されたことに応答して、前記第１のレプリカ・ボリュームの回復したフラッシュコピーのデータをエクスポートするステップと、
前記第１のストレージ・ボリュームが前記ソース・ストレージ・システムから前記ターゲット・ストレージ・システムによって受信された後に、第２のストレージ・ボリュームの複製である第２のレプリカ・ボリュームが前記ソース・ストレージ・システムから前記ターゲット・ストレージ・システムによって受信されたことに応答して、前記第２のレプリカ・ボリュームの回復したフラッシュコピーのデータをエクスポートするステップと、
を実行させ、前記第１のレプリカ・ボリュームの前記回復したフラッシュコピーを消去して、前記第２のレプリカ・ボリュームの前記回復したフラッシュコピーのデータの管理を容易にする、プログラム。
【請求項１４】
前記第１のストレージ・ボリュームが、ストレージ論理ユニット内に記憶された初期ソース・データを含む、請求項１３に記載のプログラム。
【請求項１５】
前記第１のレプリカ・ボリュームが、レプリカ論理ユニット内に記憶された初期レプリカ・データを含む、請求項１３に記載のプログラム。
【請求項１６】
前記第２のストレージ・ボリュームが、ストレージ論理ユニット内に記憶された更新済みソース・データを含む、請求項１３又は請求項１４に記載のプログラム。
【請求項１７】
前記第２のレプリカ・ボリュームが、レプリカ論理ユニット内に記憶された更新済みレプリカ・データを含む、請求項１３又は請求項１５に記載のプログラム。
【請求項１８】
ターゲット・サーバであって、
プロセッサと、
前記プロセッサと共に動作可能な命令を記憶するメモリであって、前記命令が、
第１のストレージ・ボリュームの複製である第１のレプリカ・ボリュームがソース・ストレージ・システムからターゲット・ストレージ・システムによって受信されたことに応答して、前記第１のレプリカ・ボリュームの回復したフラッシュコピーのデータをエクスポートし、
前記第１のストレージ・ボリュームが前記ソース・ストレージ・システムから前記ターゲット・ストレージ・システムによって受信された後に、第２のストレージ・ボリュームの複製である第２のレプリカ・ボリュームが前記ソース・ストレージ・システムから前記ターゲット・ストレージ・システムによって受信されたことに応答して、前記第２のレプリカ・ボリュームの回復したフラッシュコピーのデータをエクスポートする、
ために実行される、メモリと、
を含み、前記第１のレプリカ・ボリュームの前記回復したフラッシュコピーを消去して、前記第２のレプリカ・ボリュームの前記回復したフラッシュコピーのデータの管理を容易にする、ターゲット・サーバ。